(57)【特許請求の範囲】
【請求項１】
各々が独立にＯＦＤＭ（直交周波数分割多重）信号を受信し、受信したＯＦＤＭ信号にフーリエ変換を含む復調処理を行って受信信号を取り出す複数のブランチと、
前記受信したＯＦＤＭ信号に重畳されたパイロット信号を抽出し、抽出したパイロット信号に基づいて遅延プロファイルを生成する遅延プロファイル生成手段と、
前記受信したＯＦＤＭ信号と、該受信したＯＦＤＭ信号を、該ＯＦＤＭ信号の有効シンボル期間分遅延させた信号との相関演算を行い、相関結果を算出する相関算出手段と、
前記遅延プロファイルと前記相関結果とを参照して、最も受信電力が大きい主信号と該主信号よりも前に到達する前ゴースト信号との信号レベルと、信号ピーク位置との少なくとも一方を比較し、比較結果により、同期の再設定を行う窓制御が必要か否かを判定する判定手段と、
前記判定手段により同期の再設定が必要であると判定すると、前記複数のブランチの少なくとも１つにおいて、該ブランチで受信するＯＦＤＭ信号に対し前記フーリエ変換を行う時間軸上の範囲を変更する時間窓位置の制御を実行する窓位置制御手段と、
前記複数のブランチの少なくも１つにおいて前記窓位置制御手段の時間窓位置の制御が終了するまでは、他の少なくとも１つのブランチにおいて前記時間窓位置の制御を行わず、受信タイミングを変更せずにＯＦＤＭ信号を受信させる窓制御タイミング調整手段と、
を有することを特徴とするディジタル放送受信装置。
【請求項２】
前記窓制御タイミング調整手段は、前記時間窓位置の制御後の所定期間に、次の時間窓位置の制御を行わないようにすることを特徴とする請求項１記載のディジタル放送受信装置。
【請求項３】
前記窓制御タイミング調整手段は、前記所定期間の長さをブランチごとに変更することを特徴とする請求項２記載のディジタル放送受信装置。
【請求項４】
前記窓制御タイミング調整手段は、複数のブランチから時間窓位置の制御要求が出力されると、設定された優先順位に従って、時間窓位置の制御を行うことを特徴とする請求項１から３のいずれか一項記載のディジタル放送受信装置。
【請求項５】
前記受信したＯＦＤＭ信号の受信状態を表すパラメータを監視して、ＯＦＤＭ信号を受信するアンテナを切り替える切替手段を有し、
前記窓制御タイミング調整手段は、前記時間窓の制御中は、前記切替手段に前記パラメータの監視を中止させることを特徴とする請求項１から４のいずれか一項記載のディジタル放送受信装置。
【請求項６】
前記窓制御タイミング調整手段は、ディジタル放送の受信チャネルのサーチ中は、前記時間窓位置の制御を中止することを特徴とする請求項１から５のいずれか一項記載のディジタル放送受信装置。
【請求項７】
複数のブランチにおいて独立にＯＦＤＭ（直交周波数分割多重）信号を受信し、受信したＯＦＤＭ信号にフーリエ変換を含む復調処理を行って受信信号を取り出すステップと、
前記受信したＯＦＤＭ信号に重畳されたパイロット信号を抽出し、抽出したパイロット信号に基づいて遅延プロファイルを生成するステップと、
前記受信したＯＦＤＭ信号と、該受信したＯＦＤＭ信号を、該ＯＦＤＭ信号の有効シンボル期間分遅延させた信号との相関演算を行い、相関結果を算出するステップと、
前記遅延プロファイルと前記相関結果とを参照して、最も受信電力が大きい主信号と該主信号よりも前に到達する前ゴースト信号との信号レベルと、信号ピーク位置との少なくとも一方を比較し、比較結果により、同期の再設定を行う窓制御が必要か否かを判定するステップと、
前記判定するステップにより同期の再設定が必要であると判定すると、前記複数のブランチの少なくとも１つにおいて、該ブランチで受信するＯＦＤＭ信号に対し前記フーリエ変換を行う時間軸上の範囲を変更する時間窓位置の制御を実行するステップと、
前記複数のブランチの少なくも１つにおいて前記時間窓位置の制御が終了するまでは、他の少なくとも１つのブランチにおいて前記時間窓位置の制御を行わず、受信タイミングを変更せずにＯＦＤＭ信号を受信させるステップと、
を有することを特徴とするるＯＦＤＭ信号受信方法。
【発明の詳細な説明】
【技術分野】
【０００１】
本発明は、ＯＦＤＭ（Orthogonal Frequency Division Multiplexing：直交周波数分割多重）方式で伝送されるディジタル放送信号を受信するディジタル放送受信装置に関する。特に、車両に搭載されるディジタル放送受信装置に関する。
【背景技術】
【０００２】
近年、ディジタル信号を伝送する方式として、直交周波数分割多重方式（ＯＦＤＭ：Orthogonal Frequency Division Multiplexing）と呼ばれる変調方式が提案されている。このＯＦＤＭ方式は、伝送帯域内に多数の直交する副搬送波（サブキャリア）を設け、それぞれのサブキャリアの振幅及び位相にデータを割り当て、ＰＳＫ（Phase Shift Keying）やＱＡＭ（Quadrature Amplitude Modulation）によりディジタル変調する方式である。
【０００３】
しかしながら、このＯＦＤＭ変調方式においては、電波状況によって、受信電力が最も大きい主信号よりも前に遅延波が到達する前ゴースト現象が発生することがある。そこで、特許文献１では、フーリエ変換を行って信号を取り出す有効期間に相当する時間窓を、受信品質データに基づいて調整する技術を開示している。
【０００４】
【特許文献１】特開２００４−３３６２７９号公報
【発明の開示】
【発明が解決しようとする課題】
【０００５】
しかしながら、複数のブランチを備えた受信回路において、すべてのブランチが窓位置制御を同時に行った場合、データの連続性が全て同時に途切れ、ビットエラーレート（ＢＥＲ）が悪化してしまう。ビットエラーレートの悪化はＴＶ画面のフリーズ、音声が途切れる等の現象を招く。
【０００６】
本発明は上記事情に鑑みてなされたものであり、データの連続性を保ちながら最適な窓位置に制御することができるディジタル放送受信装置及びＯＦＤＭ信号受信方法を提供することを目的とする。
【課題を解決するための手段】
【０００７】
かかる目的を達成するために本発明のディジタル放送受信装置は、各々が独立にＯＦＤＭ（直交周波数分割多重）信号を受信し、受信したＯＦＤＭ信号にフーリエ変換を含む復調処理を行って受信信号を取り出す複数のブランチと、前記受信したＯＦＤＭ信号に重畳されたパイロット信号を抽出し、抽出したパイロット信号に基づいて遅延プロファイルを生成する遅延プロファイル生成手段と、前記受信したＯＦＤＭ信号と、該受信したＯＦＤＭ信号を、該ＯＦＤＭ信号の有効シンボル期間分遅延させた信号との相関演算を行い、相関結果を算出する相関算出手段と、前記遅延プロファイルと前記相関結果とを参照して、最も受信電力が大きい主信号と該主信号よりも前に到達する前ゴースト信号との信号レベルと、信号ピーク位置との少なくとも一方を比較し、比較結果により、同期の再設定を行う窓制御が必要か否かを判定する判定手段と、前記判定手段により同期の再設定が必要であると判定すると、前記複数のブランチの少なくとも１つにおいて、該ブランチで受信するＯＦＤＭ信号に対し前記フーリエ変換を行う時間軸上の範囲を変更する時間窓位置の制御を実行する窓位置制御手段と、前記複数のブランチの少なくも１つにおいて前記窓位置制御手段の時間窓位置の制御が終了するまでは、他の少なくとも１つのブランチにおいて前記時間窓位置の制御を行わず、受信タイミングを変更せずにＯＦＤＭ信号を受信させる窓制御タイミング調整手段とを有する構成としている。
また、本発明のＯＦＤＭ信号受信方法は、複数のブランチにおいて独立にＯＦＤＭ（直交周波数分割多重）信号を受信し、受信したＯＦＤＭ信号にフーリエ変換を含む復調処理を行って受信信号を取り出すステップと、前記受信したＯＦＤＭ信号に重畳されたパイロット信号を抽出し、抽出したパイロット信号に基づいて遅延プロファイルを生成するステップと、前記受信したＯＦＤＭ信号と、該受信したＯＦＤＭ信号を、該ＯＦＤＭ信号の有効シンボル期間分遅延させた信号との相関演算を行い、相関結果を算出するステップと、前記遅延プロファイルと前記相関結果とを参照して、最も受信電力が大きい主信号と該主信号よりも前に到達する前ゴースト信号との信号レベルと、信号ピーク位置との少なくとも一方を比較し、比較結果により、同期の再設定を行う窓制御が必要か否かを判定するステップと、前記判定するステップにより同期の再設定が必要であると判定すると、前記複数のブランチの少なくとも１つにおいて、該ブランチで受信するＯＦＤＭ信号に対し前記フーリエ変換を行う時間軸上の範囲を変更する時間窓位置の制御を実行するステップと、前記複数のブランチの少なくも１つにおいて前記時間窓位置の制御が終了するまでは、他の少なくとも１つのブランチにおいて時間窓位置の制御を行わず、受信タイミングを変更せずにＯＦＤＭ信号を受信させるステップとを有している。
本発明は、複数のブランチの少なくも１つにおいてフーリエ変換を行う時間軸上の範囲を変更する時間窓位置の制御中は、他の少なくとも１つのブランチにおいて時間窓位置の制御を行わず、受信タイミングを変更せずにＯＦＤＭ信号を受信させるので、データの連続性を保ちながら最適な窓位置に制御することができる。このため、ビットエラーレートを悪化させたり、ディジタル放送画面のフリーズや音声が途切れる等の不具合を防止することができる。
【０００８】
上記ディジタル放送受信装置において、前記窓制御タイミング調整手段は、前記時間窓位置の制御後の所定期間に、次の時間窓制御を行わないようにするとよい。
時間窓位置の制御後は、ビットエラーレートが悪化するので、時間窓位置の制御後の所定期間は次の窓位置制御を行わないことで、ビットエラーレートの悪化を防止できる。
【０００９】
前記窓制御タイミング調整手段は、前記所定期間の長さをブランチごとに変更するとよい。
電波の受信状況に応じて所定期間を設定すれば、時間窓制御の待機時間を受信状況に応じて変更することができる。
【００１０】
上記ディジタル放送受信装置において、前記窓制御タイミング調整手段は、前記複数のブランチから時間窓位置の制御要求が出力されると、設定された優先順位に従って、時間窓位置の制御を行うとよい。
電波の受信状況などに応じて、優先度の高いブランチから時間窓位置の制御を行うことができる。
【００１１】
上記ディジタル放送受信装置において、前記受信したＯＦＤＭ信号の受信状態を表すパラメータを監視して、ＯＦＤＭ信号を受信するアンテナを切り替える切替手段を有し、前記窓制御タイミング調整手段は、前記時間窓の制御中は、前記切替手段に前記パラメータの監視を中止させるとよい。
時間窓位置の制御中は、ＯＦＤＭ信号の受信状態が悪化するので、パラメータの監視を中止させることで、電波受信状況の誤判定を低減することができる。
【００１２】
上記ディジタル放送受信装置において、前記窓制御タイミング調整手段は、ディジタル放送の受信チャネルのサーチ中は、前記時間窓位置の制御を中止するとよい。
ディジタル放送の受信チャネルのサーチ中には、受信信号との同期をとることができないため、窓位置制御が正常に行われない。このため、チャネルサーチ中は、窓位置制御を行わないようにすることで、窓位置の誤検出を低減することができる。
【発明の効果】
【００１３】
本発明は、データの連続性を保ちながら最適な窓位置に制御することができる。
【発明を実施するための最良の形態】
【００１４】
添付図面を参照しながら本発明の最良の実施例を説明する。
【実施例】
【００１５】
まず、図１を参照しながら本実施例のディジタル放送受信装置１の構成を説明する。本実施例のディジタル放送受信装置１は複数本のアンテナ１０Ａ，１０Ｂ，１０Ｃ，１０Ｄと、チューナ１４，１５と、チューナ１４、１５によって取り出された信号を復調する復調部２０とを備えている。
本実施例は、２ブランチ構成を備えており、第１のブランチには、アンテナ１０Ａ，１０Ｂ、アンプ１１Ａ，１１Ｂ、乗算器１２、チューナ１４、Ａ／Ｄ変換部２１、第１同期部２２、第１ＦＦＴ部２３、第１復調部２４が含まれる。Ａ／Ｄ変換部２１、第１同期部２２、第１ＦＦＴ部２３、第１復調部２４は、復調部２０内に設けられている。
また、第２のブランチには、アンテナ１０Ｃ，１０Ｄ、アンプ１１Ｃ，１１Ｄ、乗算器１３、チューナ１５、Ａ／Ｄ変換部２５、第２同期部２６、第２ＦＦＴ部２７、第２復調部２８が含まれる。Ａ／Ｄ変換部２５、第２同期部２６、第２ＦＦＴ部２７、第２復調部２８も復調部２０内に含まれる。
さらに、復調部２０には、ダイバーシティ合成部２９と、誤り訂正部３０と、窓制御タイミング調整部３１と、アンテナ切替部４０とが設けられている。窓制御タイミング調整部３１は、第１のブランチと第２のブランチでの窓位置の制御タイミングを調整する。窓制御タイミング調整部３１の詳細については後述する。アンテナ切替部４０には、Ｓレベル（信号レベル）平均化部４１、Ｃ／Ｎ（Carrier to Noise ratio）平均化部４２、ＢＥＲ（ビットエラーレート）平均化部４３、スイッチドビーム制御部４４、アンテナ選択部４５がそれぞれ設けられている。なお、図１には２ブランチ構成の復調部２０の構成を示すが、ブランチの数はこれに限定されず、さらに多数のブランチで構成することもできる。
【００１６】
アンテナ１０Ａ，１０Ｂ，１０Ｃ，１０Ｄは、図２に示すように車両の前後左右に１つずつ搭載されている。この４つのアンテナ１０Ａ，１０Ｂ，１０Ｃ，１０Ｄの２つずつ（本実施例では、アンテナ１０Ａと１０Ｂ、アンテナ１０Ｃと１０Ｄ）を１セットとして、いずれか一方のセットがメインアンテナ、もう一方のセットがサブアンテナとして機能する。
【００１７】
第１ブランチと第２ブランチで動作は同一であるので、以下では第１ブランチの動作を説明する。ＯＦＤＭ変調方式により変調されたＲＦ信号をアンテナ１０Ａ，１０Ｂで受信し、両アンテナ１０Ａ，１０Ｂの信号を乗算器１２で乗算してチューナ１４によってベースバンド信号にダウンコンバートする。
【００１８】
Ａ／Ｄ変換部２１は、アナログ信号をディジタル信号に変換すると共に、ヒルベルト変換などを用いて実軸（Ｉ軸）成分の信号と、虚軸（Ｑ軸）成分の信号とを生成する。第１同期部２２が同期処理を行い、第１ＦＦＴ部２３で高速フーリエ変換等の処理を行うことによって時間軸データを周波数軸データに変換する。その後、変調方式に対応した差動復調などの各種復調処理を第１復調部２４で行う。
【００１９】
ダイバーシティ合成部２９は、第１ブランチ及び第２ブランチの各復調部２４、２８から出力されるサブキャリア毎に周波数分割ダイバーシティを実行して、キャリア間干渉を低減する。合成方法には種々の方法があるが、例えば、サブキャリア毎に、各ブランチの信号から生成した信号電力対雑音電力比の平方根に比例する、検波後の各ブランチの信号に重み付け係数（以下、ダイバーシチ係数とする）を乗算し、乗算結果を加算することによって最大比合成ダイバーシティを実現する。
【００２０】
誤り訂正部３０は、復調された信号に含まれる誤りの検出及び可能な範囲で訂正を行って誤り率情報を出力する。検出した誤り率は、ＢＥＲ平均化部４３に出力される。
【００２１】
次に、図３を参照しながら第１同期部２２、第２同期部２６の詳細について説明する。なお、第２同期部２６は、第１同期部２２と同一の構成を備えているので、代表して第１同期部２２について説明する。
図３に示すように第１同期部２２には、直交復調部５１、ガード相関部５２、伝送パラメータデコーダ５３、ＳＰ抽出部５４、ＩＦＦＴ部５５、スイッチＳＷ５６、ピーク位置差分検出部５７、レベル差分検出部５８、窓制御要求生成部５９、オフセット実行部６０、タイミング信号生成部６１、有効シンボル抽出部６２を備えている。
【００２２】
直交復調部５１は、所定周波数のクロックを用いて、Ａ／Ｄ変換部２１でディジタル化された信号を直交復調し、取り出したベースバンドのＯＦＤＭ信号を有効シンボル抽出部６２とガード相関部５２とに出力する。
【００２３】
有効シンボル抽出部６２は、直交復調部５１からベースバンドのＯＦＤＭ信号を入力し、タイミング信号生成部６１からウィンドウ同期信号ＷＦを入力する。タイミング信号生成部６１では、第１ＦＦＴ部２３での高速フーリエ変換（以下、ＦＦＴという）の演算範囲、いわゆる時間窓を制御するためのウィンドウ同期信号ＷＦを生成する。有効シンボル抽出部６２は、このウィンドウ同期信号ＷＦに基づいて、ガード期間（ガードインターバル）の時間長分の信号をＯＦＤＭシンボルから除去することによって有効シンボルを抽出し、高速フーリエ変換を行う第１ＦＦＴ部２３に与える。
【００２４】
さらに第１同期部２２は、遅延プロファイル演算部として機能するＳＰ抽出部５４とＩＦＦＴ部５５とを含む。第１ＦＦＴ部２３から出力されるＯＦＤＭ信号はＳＰ抽出部５４に与えられる。ＳＰ抽出部５４はＯＦＤＭ信号からパイロット信号（Ｓｃａｔｔｅｒｅｄ  Ｐｉｌｏｔ：シンボル時間及びキャリア周波数方向に周期的に分散した搬送波を特定の位相及び振幅で変調した信号）を抽出して逆フーリエ変換を行うＩＦＦＴ部５５に与える。ＩＦＦＴ部５５はパイロット信号に対して逆フーリエ変換を行い、得られる遅延プロファイルをレベル差分検出部５８と、ピーク位置差分検出部５７とに出力する。
【００２５】
遅延プロファイルはパイロット信号を用いて生成される。パイロット信号は既知の信号であるから、既知のパイロット信号のサブキャリア成分を逆フーリエ変換して時間波形（レプリカ）を発生し、このレプリカと受信したパイロット信号部分との相互相関を計算することで遅延プロファイルを測定する。
受信電力が最も大きい信号（主信号）の前に到達する遅延波（前ゴースト）が存在する場合、図４（Ａ）に示す主信号とともに、図４（Ｂ）に示す前ゴーストが受信される。この場合の遅延プロファイルは、図４（Ｃ）に示すように、主信号が最先到達波とはならず、最先到達波（前ゴースト）の到達タイミングから、主信号の到達タイミングまでの遅延時間がΔｔとなる。
【００２６】
次に、ガード相関部５２の動作について図５を参照しながら説明する。
図５はガード相関のピーク位置を説明する図である。図５に示すように、ガード相関を算出する場合、まず、ＦＦＴ演算される前のＯＦＤＭ信号を、有効シンボル期間に相当する時間だけ遅延させて、この遅延波のガードインタバル部分の波形と、遅延していないＯＦＤＭ信号後半部分の波形（即ち、ガードインタバルのコピー元の信号波形）との相関性を求め、ＯＦＤＭシンボルの境界を求める。具体的には、図５において、（Ａ）は遅延していない元のＯＦＤＭ信号を示し、（Ｂ）は元のＯＦＤＭ信号を有効シンボル期間長だけ遅延させた信号を示す。（Ｃ）はガード相関結果を示す。
【００２７】
ガード相関結果を算出するには、まず図５（Ａ）の信号と図５（Ｂ）の信号を乗算器で乗算する。図５（Ｂ）に示す遅延された信号のガードインタバル部分では、図５（Ａ）に示す遅延なしの信号と一致するため相関が得られ、それ以外の区間では相関が現れない。乗算結果は、積分の開始点を移動させながらガード期間長にわたってスライド積分される。この算出の結果、図５（Ｃ）に示すように、遅延なしの信号におけるシンボルの境界にピークが出る三角形の波形が得られる。この三角波がピークを示す位置はガード相関がピークを示す位置であり、三角波のピークからピークまでの期間はシンボル長と一致するため、この三角形の位置からフーリエ変換処理を行なう窓位置を概略決めることができる。
【００２８】
伝送パラメータデコーダ５３は、ＯＦＤＭ信号から伝送パラメータを伝送する信号を抽出してスイッチＳＷ５６に与える。スイッチＳＷ５６は、伝送パラメータデコーダ５３から出力されるＯＦＤＭ信号の変調方式を示す情報に基づいて、タイミング信号生成部６１に与える信号を切り替える。すなわち、変調方式が差動系のみである場合は、ガード相関部５２の出力をタイミング信号生成部６１に与え、変調方式が同期系を含む場合はＩＦＦＴ部５５から出力される遅延プロファイルをタイミング信号生成部６１に与える。
【００２９】
ＯＦＤＭ変調方式が差動系のみである場合は、タイミング信号生成部６１では、ガード相関部５２から与えられたガード相関結果からガード相関がピークを示す位置を検出して、その位置情報に応じてウィンドウ同期信号ＷＦを生成する。一方、ＯＦＤＭ変調方式が同期系を含む場合は、タイミング信号生成部６１では、ＩＦＦＴ部５５から出力される遅延プロファイルをタイミング信号生成部６１に与える。さらに、窓位置の制御がオフセット実行部６０で実行された場合には、オフセット実行部６０から出力される位置情報に応じてウィンドウ同期信号ＷＦを生成する。なお、オフセット実行部６０の処理手順については後述する。
【００３０】
レベル差分検出部５８は、遅延プロファイルから求められる前ゴースト信号の信号レベルと、ガード相関値から求められる主信号の信号レベルとの差分を求める。算出されたレベル差分値は、窓制御要求生成部５９に出力される。ピーク位置差分検出部５７は、遅延プロファイルから求められる前ゴースト信号のピーク位置と、ガード相関値から求められる主信号のピーク位置との差を求める。算出されたピーク位置の差は、窓制御要求生成部５９に出力される。
【００３１】
窓制御要求生成部５９は、レベル差分検出部５８から出力される主信号と前ゴースト信号との信号レベル差と、ピーク位置差分検出部５７から出力される主信号と前ゴースト信号とのピーク位置の差とから窓位置の制御が必要であるか否かを判定する。判定方法については特に限定しないが、信号レベル差と、ピーク位置とにそれぞれしきい値を設けて、いずれか一方又は両方がしきい値を超えた場合には窓制御が必要と判定する。
【００３２】
窓制御要求生成部５９は、窓位置の制御が必要であると判定すると、窓制御要求信号を後述する窓制御タイミング調整部３１に出力する。また窓制御タイミング調整部３１から、窓位置の制御を許可する窓制御許可信号を入力すると、窓制御要求信号を生成してオフセット実行部６０に出力する。
【００３３】
オフセット実行部６０は、窓制御要求生成部５９から窓制御要求信号が出力されると、窓位置制御を実行する。具体的には、ガード相関部５２で求められた相関ピーク位置に、ピーク位置差分検出部５７で求められたピーク位置の差分をオフセットし、窓位置制御を実行する。タイミング信号生成部６１は、窓位置制御後の窓位置情報によりウィンドウ同期信号ＷＦを生成する。
【００３４】
次に、アンテナ切替部４０について説明する。アンテナ切替部４０には、図１に示すようにＳレベル平均化部４１、Ｃ／Ｎ平均化部４２、ＢＥＲ平均化部４３が設けられている。
第１同期部２２、第２同期部２６には、受信信号の信号強度を表すＳレベルを計算するＳレベル計算部が備えられている。Ｓレベルは、受信信号のＩ信号及びＱ信号の２乗和またはその平方根により求めることができる。算出されたＳレベルは、Ｓレベル平均化部４１に出力され、ここで平均値が算出される。
【００３５】
また第１ＦＦＴ部２３、第２ＦＦＴ部２７には、Ｃ／Ｎ計算部が設けられている。Ｃ／Ｎ計算部では、受信信号のコンスタレーションにより各信号の分散を計算し、信号レベルとの比を求めることにより、Ｃ／Ｎ値を算出する。算出されたＣ／Ｎ値は、Ｃ／Ｎ平均化部４２に出力され、ここで平均値が算出される。
【００３６】
ＢＥＲ平均化部４３は、誤り訂正部３０によって算出されたＢＥＲ（受信信号の誤り率）の平均値を算出する。
【００３７】
スイッチドビーム制御部４４は、Ｓレベル平均値と、Ｃ／Ｎ平均値と、ＢＥＲ平均値とから複数のアンテナのうち信号を入力するアンテナを選択する。また、スイッチドビーム制御部４４は、窓制御タイミング調整部３１から窓制御中信号の出力中は、窓位置の制御中であると認識し、Ｓレベル、Ｃ／Ｎ、ＢＥＲの受信状況を示すパラメータの監視を中止する。時間窓位置の制御中は、ＯＦＤＭ信号の受信状態が悪化するので、パラメータの監視を中止させることで、スイッチドビーム制御部４４が電波受信状況の誤判定することがなくなる。
【００３８】
また、アンテナ１０Ａ，１０Ｂ，１０Ｃ，１０Ｄは異なる方向に指向性を有している。スイッチドビーム制御部４４は、パラメータの値からＯＦＤＭ信号を入力するアンテナを選択して、アンテナ選択部４５に指示する。アンテナ選択部４５は、スイッチドビーム制御回路４４の制御に従って、所定のアンテナ入力を選択し乗算器１２、１３で合成させる。
【００３９】
次に、窓制御タイミング調整部３１の詳細な構成について説明する。
窓制御タイミング調整部３１は、図６に示すようにＡＮＤゲート７１と、タイミング制御部７２と、レジスタ７３と、窓制御中信号生成部７４とを有している。
ＡＮＤゲート７１には、図１に示すスイッチドビーム制御部４４や、チューナ１４、１５から窓位置制御の実施を禁止する窓制御禁止信号が出力される。チューナ１４、１５でチャネルサーチを実行中や、スイッチドビーム制御部４４で制御中に、窓位置制御が行われてしまうと、ＯＦＤＭ信号の受信状態が悪化するので、窓制御禁止信号を出力して窓位置の制御を禁止させる。ＡＮＤゲート７１は、スイッチドビーム制御部４４やチューナ１４、１５からの窓制御禁止信号の論理積を演算し、演算結果に応じて禁止信号をタイミング制御部７２に出力する。
なお、このＡＮＤゲート７１の代わりに、ＯＲゲートを用いてもよい。
【００４０】
タイミング制御部７２には、第１同期部２２と第２同期部２６から窓制御要求信号が入力される。これらの信号は、第１同期部２２や第２同期部２６で同期が外れ窓位置の制御が必要であると判断した場合に出力される。
タイミング制御部７２は、窓制御要求信号と、禁止信号とから第１同期部２２、第２同期部２６から出力される窓制御要求を許可するか否かを判定する。窓位置制御を許可する場合には、窓制御許可信号を同期部（第１同期部２２又は第２同期部２６）に出力する。
またタイミング制御部７２は、窓制御中信号生成部７４に窓制御中信号の生成を指示する。窓制御中信号生成部７４は、レジスタ７３に登録された窓制御中時間を参照して、設定された時間だけ窓制御中信号をスイッチドビーム制御部４４や、チューナ１４、１５に出力する。
【００４１】
レジスタ７３には、窓位置の制御完了後に次の窓位置の制御を開始するまでオフセットの時間設定や、窓制御の許容時間の設定が記録されている。さらに、チューナ１４、１５や、スイッチドビーム制御部４４から窓制御禁止信号が入力された時に、窓位置制御の実行を禁止する時間の設定や、窓制御禁止信号が出力されている時に、複数のブランチから窓制御要求が出された場合、どのブランチから窓位置制御を再開するかを設定した優先順位情報も記録されている。オフセット時間は、ブランチごとに任意に設定可能である。例えば、サブのブランチのオフセット時間を短く設定しておくことで、メインブランチの窓位置制御がサブブランチの窓位置制御によって待機させられる時間を短縮させることができる。
【００４２】
次に、図７に示すフローチャートを参照しながら窓制御タイミング調整部３１の処理手順を説明する。窓制御タイミング調整部３１は、第１同期部２２又は第２同期部２６から窓制御要求信号を受け取ると、実行中の窓位置制御があるか否かを判定する（ステップＳ２）。時間窓位置の制御が行われていないと判定すると（ステップＳ２／ＮＯ）、要求のあった同期部（第１同期部２２又は第２同期部２６）に窓制御許可信号を出力して、窓位置制御を実行させる（ステップＳ３）。またスイッチドビーム制御部４４に窓制御中信号を出力して、Ｓレベル、Ｃ／Ｎ、ＢＥＲ等のパラメータの監視を中止させる（ステップＳ４）。
【００４３】
また、時間窓位置の制御が実行中であると判定すると（ステップＳ２／ＹＥＳ）、実行中の窓位置制御が終了するまでの間待機する（ステップＳ５）。タイミング制御部７２は、レジスタ７３に記録した窓制御の許容時間の設定により窓位置制御が終了する時間を認識している。実行中の窓位置制御が終了すると（ステップＳ５／ＹＥＳ）、タイミング制御部７２は、窓制御要求のあったブランチの窓位置制御を設定されたオフセット時間だけさらに待機させる（ステップＳ６）。このオフセット時間が経過すると、タイミング制御部７２は、窓制御要求のあったブランチの窓制御を実施する。このとき複数のブランチから窓制御要求が出力されている場合には、予め設定された優先度に従って、優先度の高いブランチから窓位置制御を開始させる。該当するブランチの同期部に窓制御許可信号を出力すると、スイッチドビーム制御部４４に窓制御中信号を出力して、パラメータの監視を中止させる（ステップＳ８）。
【００４４】
このように本実施例は、窓位置制御中は、少なくとも１つのブランチでＯＦＤＭ信号の受信を継続させることにより、データの連続性を保ちながら最適な窓位置に制御することができる。このため、ビットエラーレートを悪化させたり、ディジタル放送画面のフリーズや音声が途切れる等の不具合を防止することができる。
【００４５】
上述した実施例は本発明の好適な実施例である。但し、これに限定されるものではなく、本発明の要旨を逸脱しない範囲内において種々変形実施可能である。例えば、スイッチドビーム制御部４４やチューナ１４、１５から窓制御禁止信号が出力されていても、所定時間を経過すると、タイミング制御部７２で窓位置制御の実行を許可するようにしてもよい。この所定時間の設定はブランチごとに変更することができる。また、窓制御禁止信号が出力され、複数のブランチで窓位置制御を待機している状態の場合には、タイミング制御部７２は優先順位情報に従って、窓位置制御を行う順位を決定するとよい。この優先順位の設定は、電波の受信状況のよいものを高い優先順位に設定してもよいし、メインアンテナの優先順位をサブアンテナよりも高く設定してもよい。
【図面の簡単な説明】
【００４６】
【図１】ディジタル放送受信装置の構成を示すブロック図である。
【図２】アンテナの取り付け位置を示す図である。
【図３】第１同期部の構成を示す図である。
【図４】主信号と前ゴーストとの遅延プロファイルを示す図である。
【図５】ガード相関のピーク位置を説明するための図である。
【図６】窓制御タイミング調整部の構成を示すブロック図である。
【図７】窓制御タイミング調整部の処理手順を示すフローチャートである。
【符号の説明】
【００４７】
１  ディジタル放送受信装置
１０Ａ，１０Ｂ，１０Ｃ，１０Ｄ  アンテナ
１４、１５  チューナ
２０  復調部
２１、２５  Ａ／Ｄ変換部
２２  第１同期部
２３  第１ＦＦＴ部
２４  第１復調部
２６  第２同期部
２７  第２ＦＦＴ部
２８  第２復調部
２９  ダイバーシティ合成部
３０  誤り訂正部
４０  アンテナ切替部
４１  Ｓレベル平均化部
４２  Ｃ／Ｎ平均化部
４３  ＢＥＲ平均化部
４４  スイッチドビーム制御部
４５  アンテナ選択部
【図１】
0004430032.tif 000002
【図２】
0004430032.tif 000003
【図３】
0004430032.tif 000004
【図４】
0004430032.tif 000005
【図５】
0004430032.tif 000006
【図６】
0004430032.tif 000007
【図７】
0004430032.tif 000008